(57)【要約】【課題】公衆回線網を利用して、手軽にメッセージを送信または受信する。【解決手段】予め登録されたスマートホン（２０）から着信を受けた場合、回線捕捉部（１１）は、スマートホン（２０）の電話回線を捕捉し、符号化メッセージ受信部（１３）は、スマートホン（２０）からＤＴＭＦ信号を受信し、メッセージ復号部（１４）は、ＤＴＭＦ信号からメッセージを復号し、メッセージ出力部（１５）は、復号したメッセージを出力する。【選択図】図１
2018037880.tif 000002
【特許請求の範囲】
【請求項１】
公衆回線網と接続される電話機能付き装置であって、
予め登録された他の電話機能付き装置からの着信を受けた場合、上記他の電話機能付き装置の電話回線を捕捉する回線捕捉部と、
上記回線捕捉部が上記他の電話機能付き装置の電話回線を捕捉した後、上記他の電話機能付き装置から、メッセージが符号化されたＤＴＭＦ信号を受信する受信部と、
上記受信部が受信した上記ＤＴＭＦ信号からメッセージを復号する復号部と、
上記復号部が復号した上記メッセージを出力する出力部と、
を備えたことを特徴とする電話機能付き装置。
【請求項２】
予め登録された他の電話機能付き装置を識別するための機器情報を記憶した記憶部と、
他の電話機能付き装置から着信を受けた場合、該他の電話機能付き装置の機器情報を取得する取得部と、をさらに備え、
上記回線捕捉部は、上記取得部が取得した上記機器情報が上記記憶部に記憶されている場合に、上記他の電話機能付き装置の電話回線を捕捉することを特徴とする請求項１に記載の電話機能付き装置。
【請求項３】
当該電話機能付き装置において、上記出力部が上記メッセージを出力した後の所定期間内に、通話を開始するための操作が行われた場合、上記他の電話機能付き装置に対し、着信時と同じ動作をするように要求することを特徴とする請求項１または２に記載の電話機能付き装置。
【請求項４】
メッセージが符号化されたＤＴＭＦ信号から該メッセージを復号し、出力することが可能な他の電話機能付き装置と、公衆回線網を通じて接続される電話機能付き装置であって、
メッセージを入力される入力部と、
上記入力部へ入力された上記メッセージをＤＴＭＦ信号に符号化する符号化部と、
上記符号化部が符号化した上記ＤＴＭＦ信号を、上記他の電話機能付き装置へ送信する送信部と、
を備えたことを特徴とする電話機能付き装置。
【請求項５】
公衆回線網と接続される電話機能付き装置の制御方法であって、
予め登録された他の電話機能付き装置からの着信を受けた場合、上記他の電話機能付き装置の電話回線を捕捉する回線捕捉ステップと、
上記他の電話機能付き装置の電話回線を捕捉した後、上記他の電話機能付き装置から、メッセージが符号化されたＤＴＭＦ信号を受信する受信ステップと、
受信した上記ＤＴＭＦ信号からメッセージを復号する復号ステップと、
復号した上記メッセージを出力する出力ステップと、
を含むことを特徴とする電話機能付き装置の制御方法。
【発明の詳細な説明】
【技術分野】
【０００１】
本発明は、電話機能付き装置および電話機能付き装置の制御方法に関し、例えば、公衆回線網と接続される電話機能付き装置に関する。
【背景技術】
【０００２】
従来の電話機能付き装置（例えば、固定電話機、ファクシミリ装置）は、メールサーバを利用して、電子メールを送受信している。具体的には、従来の電話機能付き装置は、ダイヤルアップによって、公衆回線網上にあるメールサーバのアクセスポイントに接続して、メールサーバに保存されているユーザ宛の電子メールをダウンロードしたり、メールサーバに電子メールをアップロードしたりする。
【０００３】
また、特許文献１には、ＤＴＭＦ（Dual Tone Multi Frequency）信号により、電子メールのデータを受信可能な多機能電話装置（電話機能付き装置）が記載されている。特許文献１に記載の技術では、まず、電子手帳等の携帯端末機において、電子メールが作成される。携帯端末機は、作成した電子メールのデータをＤＴＭＦ信号に符号化（変換）する。また、多機能電話装置のハンドセットがオフフックされる。これにより、多機能電話装置は、電話回線を捕捉して、公衆回線網と接続される。その後、携帯電話機は、電子メールのデータから符号化されたＤＴＭＦ信号を送信する。多機能型電話装置は、ハンドセットによって、ＤＴＭＦ信号を受信する。多機能型電話装置は、電子手帳から受信したＤＴＭＦ信号を、デジタル信号に符号化し、そして、該デジタル信号を、公衆回線網上のメールサーバに送信する。
【先行技術文献】
【特許文献】
【０００４】
【特許文献１】特開平１１−２０５４６４号公報（１９９９年７月３０日公開）
【発明の概要】
【発明が解決しようとする課題】
【０００５】
しかしながら、従来の電話機能付き装置は、メールサーバを利用して、電子メールを送受信するため、ユーザは、メールサーバおよびメールアドレスを提供するプロバイダと契約をすることが必要になる。ユーザにとって、プロバイダと契約を行うことは、煩わしく、また難しい場合がある。また、年配のユーザは、スマートホン等の携帯電話機を所持していない場合が多いので、公衆回線網を利用することなく、手軽にメッセージを送受信することが困難である。
【０００６】
本発明は、前記の問題点に鑑みてなされたものであり、その目的は、公衆回線網を利用して、手軽にメッセージを送信または受信することが可能な電話機能付き装置等を提供することにある。
【課題を解決するための手段】
【０００７】
上記の課題を解決するために、本発明の一態様に係る電話機能付き装置は、公衆回線網と接続される電話機能付き装置であって、予め登録された他の電話機能付き装置からの着信を受けた場合、上記他の電話機能付き装置の電話回線を捕捉する回線捕捉部と、上記回線捕捉部が上記他の電話機能付き装置の電話回線を捕捉した後、上記他の電話機能付き装置から、メッセージが符号化されたＤＴＭＦ信号を受信する受信部と、上記受信部が受信した上記ＤＴＭＦ信号からメッセージを復号する復号部と、上記復号部が復号した上記メッセージを出力する出力部と、を備えている。
【０００８】
また、上記の課題を解決するために、本発明の一態様に係る電話機能付き装置は、メッセージが符号化されたＤＴＭＦ信号から該メッセージを復号し、出力することが可能な他の電話機能付き装置と、公衆回線網を通じて接続される電話機能付き装置であって、メッセージを入力される入力部と、上記入力部へ入力された上記メッセージをＤＴＭＦ信号に符号化する符号化部と、上記符号化部が符号化した上記ＤＴＭＦ信号を、上記他の電話機能付き装置へ送信する送信部と、を備えている。
【０００９】
また、上記の課題を解決するために、本発明の一態様に係る電話機能付き装置の制御方法は、公衆回線網と接続される電話機能付き装置の制御方法であって、予め登録された他の電話機能付き装置からの着信を受けた場合、上記他の電話機能付き装置の電話回線を捕捉する回線捕捉ステップと、上記他の電話機能付き装置の電話回線を捕捉した後、上記他の電話機能付き装置から、メッセージが符号化されたＤＴＭＦ信号を受信する受信ステップと、受信した上記ＤＴＭＦ信号からメッセージを復号する復号ステップと、復号した上記メッセージを出力する出力ステップと、を含む。
【発明の効果】
【００１０】
本発明の一態様によれば、公衆回線網を利用して、手軽にメッセージを送信または受信することができる。
【図面の簡単な説明】
【００１１】
【図１】実施形態１に係るファクシミリ装置およびスマートホンの構成を示すブロック図である。
【図２】実施形態１において、ファクシミリ装置とスマートホンとが符号化メッセージを送受信する方法を示す図である。
【図３】メッセージをＤＴＭＦ信号に符号化するためのメッセージ−ＤＴＭＦ変換テーブルの一例を示す図であり、文字または記号と、２進数または１６進数の数字の組合せとの対応関係を示す図である。
【図４】メッセージの一例の各文字と、符号化メッセージの記号および数字の組合せとの対応関係を示す図である。
【図５】実施形態１において、スマートホンからファクシミリ装置へ送信される符号化メッセージのデータ構造の一例を示す図である。
【図６】実施形態１に係るスマートホンおよびファクシミリ装置による符号化メッセージ処理の流れを示すシーケンスであり、ファクシミリ装置がスマートホンの端末情報を取得する場合の符号化メッセージ処理の流れを示すシーケンスである。
【図７】実施形態２における符号化メッセージ処理の流れを示すシーケンスであり、スマートホンからファクシミリ装置へ、符号化メッセージが再送される場合の符号化メッセージ処理の流れを示すシーケンスである。
【図８】実施形態３における符号化メッセージ処理の流れを示すシーケンスであり、スマートホンの端末情報がファクシミリ装置へ送信される場合の符号化メッセージ処理の流れを示すシーケンスである。
【図９】実施形態４における符号化メッセージ処理の流れを示すシーケンスであり、スマートホンからファクシミリ装置へ符号化メッセージが送信された後で、ファクシミリ装置のハンドセットがオフフックされた場合の符号化メッセージ処理の流れを示すシーケンスである。
【発明を実施するための形態】
【００１２】
〔実施形態１〕
以下、本発明の実施の形態について、図１〜図４を用いて詳細に説明する。
【００１３】
（符号化メッセージの送受信）
図２を用いて、本実施形態に係るファクシミリ装置１０（電話機能付き装置）およびスマートホン２０（電話機能付き装置）が、ＤＴＭＦ信号に符号化されたメッセージ（以下では、符号化メッセージと呼ぶ）を送受信する符号化メッセージ処理について説明する。ここでは、スマートホン２０からファクシミリ装置１０へ、符号化メッセージが送信される。なお、後の実施形態において、ファクシミリ装置１０からスマートホン２０へ、符号化メッセージが送信される構成を説明する。
【００１４】
図２に示すように、スマートホン２０において、メッセージが作成される。スマートホン２０のユーザは、例えば、通常の電子メールを作成する場合と同じように、スマートホン２０にテキストを入力する操作を行って、メッセージを作成することができる。スマートホン２０は、後述するメッセージ−ＤＴＭＦ変換テーブル記憶部２８（図３参照）を用いて、作成されたメッセージを、符号化メッセージに符号化（変換）する。
【００１５】
ファクシミリ装置１０は、公衆回線網（アナログ回線、ＩＳＤＮ（Integrated Services Digital Network）回線、ＡＤＳＬ（Asymmetric Digital Subscriber Line）回線、光回線、またはＣＡＴＶ（Cable Television）回線）と接続される。また、スマートホン２０は、移動体通信網および基地局を介して、公衆回線網と接続される。スマートホン２０は、符号化メッセージをファクシミリ装置１０へ送信する前に、ファクシミリ装置１０の電話回線と接続する。そして、スマートホン２０は、符号化メッセージをファクシミリ装置１０へ送信する。
【００１６】
ファクシミリ装置１０は、後述するメッセージ−ＤＴＭＦ変換テーブル記憶部１８を用いて、スマートホン２０から受信した符号化メッセージを復号する。ファクシミリ装置１０は、復号したメッセージを、ディスプレイに表示する。さらに、図２に示すように、ファクシミリ装置１０のユーザが、メッセージを確認した後で、ファクシミリ装置１０に設けられた「既読」キーを押下した場合、ファクシミリ装置１０からスマートホン２０へ、メッセージが確認されたことを示す通知が、任意のＤＴＭＦ信号によって、スマートホン２０へ送信されてもよい。これにより、スマートホン２０のユーザは、ファクシミリ装置１０のユーザがメッセージを確認したことを知ることができる。ファクシミリ装置１０がスマートホン２０へ通知を送信することによる電話料金は、見かけ上発生しない。上記のように、本実施形態に係るファクシミリ装置１０およびスマートホン２０は、メールサーバを利用せずに、公衆回線網を通じて、符号化メッセージを送受信することができる。ファクシミリ装置１０のユーザは、スマートホン２０のユーザから受信したメッセージを、いつでも、手軽に確認することができる。なお、本実施形態および後の実施形態において、ファクシミリ装置１０は、固定電話機などの電話機能付き装置によって代替されてよい。電話機能付き装置は、メッセージを、ユーザが見やすいように表示するために、大きなディスプレイを備えていることが好ましい。なお、電話機能付き装置は、復号したメッセージを、表示以外の様態（例えば、音声）で出力してもよい。
【００１７】
（ファクシミリ装置１０の構成）
図１を用いて、本実施形態に係るファクシミリ装置１０の構成を説明する。図１は、ファクシミリ装置１０およびスマートホン２０の構成を示すブロック図である。図１に示すように、ファクシミリ装置１０は、回線捕捉部１１、端末情報取得部１２（取得部）、符号化メッセージ受信部１３（受信部）、メッセージ復号部１４（復号部）、メッセージ出力部１５（出力部）、操作部１６、登録端末情報記憶部１７（記憶部）、およびメッセージ−ＤＴＭＦ変換テーブル記憶部１８を備えている。
【００１８】
回線捕捉部１１、端末情報取得部１２、符号化メッセージ受信部１３、およびメッセージ復号部１４は、スマートホン２０の電話回線と接続して、スマートホン２０から符号化メッセージを受信する。そして、受信した符号化メッセージを、スマートホン２０のユーザが作成したメッセージに復号する。回線捕捉部１１、端末情報取得部１２、符号化メッセージ受信部１３、およびメッセージ復号部１４は、集積回路（ＩＣチップ）等に形成された論理回路（ハードウェア）によって実現してもよいし、ＣＰＵ（Central Processing Unit）を用いてソフトウェアによって実現してもよい。回線捕捉部１１、端末情報取得部１２、符号化メッセージ受信部１３、およびメッセージ復号部１４が、符号化メッセージを復号するために実行する処理の内容については、「符号化メッセージ処理の流れ」の項目において説明する。
【００１９】
メッセージ出力部１５は、復号されたメッセージを出力する。例えば、メッセージ出力部１５は、ディスプレイを含んでいてもよいし、スピーカを含んでいてもよい。操作部１６は、ユーザが、ファクシミリ装置１０に対する入力を行うために使用するデバイスである。例えば、操作部１６は、物理キー／ボタン（例えば、通話ボタン、終話ボタン、ナンバーキーなど）を含んでいてよい。また、操作部１６は、前述した「既読」キーを含んでいてよい。
【００２０】
登録端末情報記憶部１７は、予め登録された端末または電話機能付き装置（例えば、固定電話機、スマートホン、ファクシミリ装置、その他の電話機能付き装置など）の情報を記憶している。予め登録された端末情報（機器情報）には、ファクシミリ装置１０へ符号化メッセージを送信するスマートホン２０の端末情報が含まれる。例えば、登録端末情報記憶部１７は、予め登録された端末の情報として、端末の電話番号またはＩＤを記憶していてよい。メッセージ−ＤＴＭＦ変換テーブル記憶部１８は、予め登録された端末から受信した符号化メッセージを、メッセージに復号するために使用されるメッセージ−ＤＴＭＦ変換テーブルを記憶している。メッセージ−ＤＴＭＦ変換テーブルには、文字または記号（すなわちユーザの入力）と、２進数または１６進数の数字の組合せとの対応関係が記載されている。ＤＴＭＦテーブルの一例を、図３を参照して、後で説明する。
【００２１】
（スマートホン２０の構成）
次に、スマートホン２０の構成を説明する。図１に示すように、スマートホン２０は、メッセージ入力部２１（入力部）、メッセージ符号化部２２（符号化部）、符号化メッセージ送信部２３（送信部）、端末情報通知部２４、発信部２５、表示部２６、端末情報記憶部２７、およびメッセージ−ＤＴＭＦ変換テーブル記憶部２８を備えている。
【００２２】
メッセージ符号化部２２、符号化メッセージ送信部２３、端末情報通知部２４、および発信部２５は、ファクシミリ装置１０の電話回線と接続して、スマートホン２０に入力されたメッセージを符号化した符号化メッセージを、ファクシミリ装置１０または他の電話機能付き装置へ送信する。メッセージ符号化部２２、符号化メッセージ送信部２３、端末情報通知部２４、および発信部２５は、集積回路（ＩＣチップ）等に形成された論理回路（ハードウェア）によって実現してもよいし、ＣＰＵ（Central Processing Unit）を用いてソフトウェアによって実現してもよい。メッセージ符号化部２２、符号化メッセージ送信部２３、端末情報通知部２４、および発信部２５が、スマートホン２０に入力されたメッセージを符号化するために実行する処理の内容については、「符号化メッセージ処理の流れ」の項目において説明する。
【００２３】
メッセージ入力部２１は、ユーザがスマートホン２０へメッセージを入力するために使用されるデバイスである。例えば、メッセージ入力部２１は、タッチパネルまたはキーボードであってよい。表示部２６は、例えば、液晶ディスプレイまたは有機ＥＬ（Electro-Luminescence）ディスプレイであってよい。
【００２４】
端末情報記憶部２７は、自端末すなわちスマートホン２０の情報を記憶している。例えば、端末情報記憶部２７は、自端末の情報として、電話番号の情報を記憶していてよいし、ファクシミリ装置１０から付与されたＩＤを記憶していてもよい。メッセージ−ＤＴＭＦ変換テーブル記憶部２８は、前述したメッセージ−ＤＴＭＦ変換テーブルを記憶している。
【００２５】
（符号化メッセージの作成／メッセージの復号）
図３〜図５を用いて、スマートホン２０のメッセージ符号化部２２が、メッセージ入力部２１から入力されたメッセージを符号化することによって、符号化メッセージを作成する方法を説明する。
【００２６】
図３は、前述したメッセージ−ＤＴＭＦ変換テーブルの一例を示す図である。図３に示すように、メッセージ−ＤＴＭＦ変換テーブルには、文字または記号と、２進数または１６進数の数字の組合せとの対応関係が記載されている。より詳細には、メッセージ−ＤＴＭＦ変換テーブル中の各欄内に記載された文字または記号に対し、それぞれ、１つの１０進数の数字が対応付けられている。メッセージ−ＤＴＭＦ変換テーブルは、例えば、シフトＪＩＳ等の文字コードに基づいていてもよい。この構成では、メッセージ−ＤＴＭＦ変換テーブルを２バイト分拡張することによって、メッセージで使用可能な文字または記号の数を増大させることができる。
【００２７】
図３に示すメッセージ−ＤＴＭＦ変換テーブル中の１０進数の各数字は、メッセージ−ＤＴＭＦ変換テーブルの左端の列の欄内に記載された２進数または１６進数の数字と、メッセージ−ＤＴＭＦ変換テーブルの上端の行の欄内に記載された２進数または１６進数の数字との組合せと対応している。左端の列の欄内に記載された２進数または１６進数の数字が、上位４ビットの値になり、上端の行の欄内に記載された２進数または１６進数の数字が、下位４ビットの値になる。例えば、メッセージ−ＤＴＭＦ変換テーブルにおいて、１０進数の「３８」は、同じ行の左端の欄内に記載された１６進数の「２」（上位４ビットの値）と、同じ列の上端の欄内に記載された１６進数の「６」（下位４ビットの値）との組合せで表される。したがって、１０進数の「３８」は、１６進数の「２６」と対応する。また、１０進数の「３８」は、２進数の「００１００１１０」と対応する。
【００２８】
図４は、スマートホン２０のユーザが入力するメッセージの一例の各文字と、符号化メッセージの記号および数字の組合せとの対応関係を示す。図４において、メッセージの最初の文字「オ」は、図３に示すメッセージ−ＤＴＭＦ変換テーブルでは、１６進数の「ｂ５」と対応している。したがって、メッセージ符号化部２２は、図３に示すメッセージ−ＤＴＭＦ変換テーブルを参照して、メッセージの文字「オ」を、符号化メッセージの「ｂ５」に符号化する。同様に、メッセージ符号化部２２は、図３に示すメッセージ−ＤＴＭＦ変換テーブルを参照して、メッセージの文字「ハ」、「ヨ」、および「ウ」を、１６進数の「ｃａ」、「ｄ６」、および「ｂ３」にそれぞれ符号化する。このようにして、メッセージ符号化部２２は、メッセージに含まれる全ての文字または記号を符号化することによって、符号化メッセージを作成する。
【００２９】
図５に示すように、メッセージ符号化部２２が作成した符号化メッセージは、符号化メッセージ送信部２３によって、誤り検出信号等のＤＴＭＦ信号を付加された後、ファクシミリ装置１０へ送信される。図５において、「マークアップ」のＤＴＭＦ信号（例えば、F,F）は、符号化メッセージの開始の位置を示す。「誤り検出信号」は、符号化メッセージに基づいて生成され、ファクシミリ装置１０において、スマートホン２０から受信した符号化メッセージの誤りを検出するために利用される。「伝送終了信号」（例えば、0,4）は、符号化メッセージの送信（伝送）が終了したことを示す。
【００３０】
ファクシミリ装置１０のメッセージ復号部１４は、メッセージ−ＤＴＭＦ変換テーブル記憶部１８に記憶されたメッセージ−ＤＴＭＦ変換テーブルを参照して、符号化メッセージ受信部１３が受信した符号化メッセージを復号する。復号の手順は、前述した符号化の手順と逆である。つまり、メッセージ復号部１４は、メッセージ−ＤＴＭＦ変換テーブルを参照して、符号化メッセージに含まれる２進数または１６進数の各数字を、メッセージの１つの文字にそれぞれ復号（変換）する。例えば、メッセージ−ＤＴＭＦ変換テーブルにおいて、１６進数の「ｂ」が記載された欄を含む行と、１６進数の「５」が記載された欄を含む列とが交差する位置にある欄内には、文字「オ」が記載されている。したがって、メッセージ復号部１４は、符号化メッセージの１６進数の数字「ｂ５」を、文字「オ」に復号する。
【００３１】
（符号化メッセージ処理の流れ）
図６を用いて、実施形態１に係るスマートホン２０からファクシミリ装置１０へ、符号化メッセージが送信される場合の符号化メッセージ処理の流れを説明する。図６は、符号化メッセージ処理の流れを示すシーケンスである。
【００３２】
スマートホン２０において、メッセージが作成される。また、スマートホン２０のユーザによって、ファクシミリ装置１０の電話番号が入力されて、ファクシミリ装置１０へメッセージを送信する操作が行われる。その後、以下で説明する符号化メッセージ処理が開始される。
【００３３】
図６に示すように、符号化メッセージ処理では、まず、スマートホン２０の回線捕捉部１１が、ファクシミリ装置１０の電話回線にダイアル発信する（Ｓ１）。本実施形態では、ファクシミリ装置１０の端末情報取得部１２は、発信元であるスマートホン２０の電話番号（着信電話番号）の情報を、交換機から自動的に取得する。
【００３４】
次に、ファクシミリ装置１０の回線捕捉部１１は、登録端末情報記憶部１７を参照して、端末情報取得部１２が取得した着信電話番号の情報が、登録端末情報記憶部１７に記憶されているかどうかを確認する（Ｓ２）。
【００３５】
着信電話番号の情報が、登録端末情報記憶部１７に記憶されている場合、回線捕捉部１１は、スマートホン２０からの外線着信に自動的に応答して、スマートホン２０の電話回線と接続する（Ｓ３、回線捕捉ステップ）。なお、着信電話番号の情報が、登録端末情報記憶部１７に記憶されていない場合、あるいは、端末情報取得部１２が、着信電話番号の情報を自動的に取得することができなかった場合、回線捕捉部１１は、自動的に応答しない。この場合、ファクシミリ装置１０が外線着信を受けていることをユーザに知らせるために、ファクシミリ装置１０の着信音が鳴動する。あるいは、ファクシミリ装置１０は、登録されていない着信電話番号からの着信、または、自機の電話番号を発信先に通知しないように設定している電話機能付き装置からの着信に対する応答を、自動的に拒否してもよい。これにより、ユーザが危険な発信元からの着信に応答することを防止することができる。
【００３６】
回線捕捉部１１がスマートホン２０の電話回線と接続した後、ファクシミリ装置１０の符号化メッセージ受信部１３は、スマートホン２０に対し、符号化メッセージを受信する準備ができたことを示す合図信号を送信する。合図信号は、任意のＤＴＭＦ信号（例えば、#, #, #, #）であってよい。スマートホン２０の符号化メッセージ送信部２３は、ファクシミリ装置１０から合図信号を受信した後、ファクシミリ装置１０に対して、符号化メッセージを送信する（Ｓ４）。
【００３７】
ファクシミリ装置１０の符号化メッセージ受信部１３は、スマートホン２０から符号化メッセージ（図５参照）を受信する（Ｓ５、受信ステップ）。その後、符号化メッセージ受信部１３は、符号化メッセージを受信したことを通知するためのＡＣＫ信号を、スマートホン２０に送信する。ＡＣＫ信号は、例えば、｛任意のＤＴＭＦ信号（例えば、0, 6）＋誤り検出符号（ＤＴＭＦ信号）＋任意のＤＴＭＦ信号（例えば、#）｝であってよい。符号化メッセージ受信部１３が受信した符号化メッセージは、前述したように、ファクシミリ装置１０のメッセージ復号部１４によって、メッセージに復号される（Ｓ５、復号ステップ）。
【００３８】
スマートホン２０の符号化メッセージ送信部２３は、ファクシミリ装置１０の符号化メッセージ受信部１３から、ＡＣＫ信号によって、符号化メッセージを受信したことを通知された後、符号化メッセージの送信を完了する（Ｓ６）。符号化メッセージ送信部２３が符号化メッセージの送信を完了した後、スマートホン２０の回線捕捉部１１は、電話回線を開放する。
【００３９】
ファクシミリ装置１０のメッセージ出力部１５は、メッセージ復号部１４が復号したメッセージを表示（または音声出力）する（Ｓ７、出力ステップ）。ファクシミリ装置１０のユーザは、メッセージを確認した後、操作部１６の「既読」キーを押下してもよい。この場合、ファクシミリ装置１０からスマートホン２０へ、メッセージが確認されたことを示す通知が送信されて、スマートホン２０の表示部２６に、上記通知が表示される。また、ファクシミリ装置１０の回線捕捉部１１は、電話回線を開放する。以上で、符号化メッセージ処理は終了する。
【００４０】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００４１】
前記実施形態１で説明した符号化メッセージ処理（図６参照）において、ファクシミリ装置１０は、符号化メッセージを正しく受信することができない場合がある。例えば、公衆回線網内において、符号化メッセージにノイズが生じた場合、ファクシミリ装置１０は、符号化メッセージを正しく受信することができない可能性がある。本実施形態では、ファクシミリ装置１０が符号化メッセージの受信に失敗した場合の符号化メッセージ処理の流れを説明する。
【００４２】
（符号化メッセージ処理の流れ）
図７は、本実施形態に係る符号化メッセージ処理の流れを示すシーケンスである。本実施形態に係る符号化メッセージ処理のＳ１〜Ｓ３は、前記実施形態１で説明した符号化メッセージ処理のＳ１〜Ｓ３と同じである。そのため、本実施形態ではＳ１〜Ｓ３の説明を省略する。
【００４３】
図７に示すように、スマートホン２０の符号化メッセージ送信部２３は、ファクシミリ装置１０から合図信号を受信した後、ファクシミリ装置１０に対して、符号化メッセージを送信する（Ｓ４１）。
【００４４】
ファクシミリ装置１０の符号化メッセージ受信部１３は、スマートホン２０から送信された符号化メッセージを受信しようとするが、符号化メッセージの受信に失敗する（Ｓ５１）。例えば、符号化メッセージ受信部１３は、符号化メッセージ中の誤り検出信号（図５参照）に基づいて、符号化メッセージを正しく受信できなかったことを検出してもよい。この場合、符号化メッセージ受信部１３は、符号化メッセージの受信に失敗したことを示すＮＡＫ信号を、スマートホン２０へ送信する。ＮＡＫ信号は、例えば、｛任意のＤＴＭＦ信号（例えば、1, 5）＋誤り検出符号（ＤＴＭＦ信号）＋任意のＤＴＭＦ信号（例えば、#）｝であってよい。
【００４５】
スマートホン２０の符号化メッセージ送信部２３は、符号化メッセージ受信部１３からＮＡＫ信号を受信した場合、符号化メッセージを、ファクシミリ装置１０へ再送する（Ｓ４２）。
【００４６】
ファクシミリ装置１０の符号化メッセージ受信部１３は、スマートホン２０から再送された符号化メッセージを受信することに成功する（Ｓ５２）。例えば、電話回線内で符号化メッセージに生じるノイズが時間的に変化する場合、符号化メッセージ送信部２３が再送した符号化メッセージに生じるノイズは、先に送信された符号化メッセージに生じるノイズよりも小さい可能性がある。このような場合、符号化メッセージ受信部１３は、スマートホン２０から再送された符号化メッセージを正しく受信することができる。
【００４７】
なお、符号化メッセージ受信部１３が符号化メッセージを受信することにまた失敗した場合、前述したＳ５１およびＳ４２が繰り返されてよい。また、符号化メッセージ受信部１３が、符号化メッセージを受信することに所定回数以上失敗した場合、ファクシミリ装置１０の回線捕捉部１１およびスマートホン２０の発信部２５は、電話回線を開放してもよい。あるいは、ファクシミリ装置１０は、ユーザに通話をさせるために、着信音を鳴動させてもよい。
【００４８】
その後、スマートホン２０の符号化メッセージ送信部２３は、ファクシミリ装置１０の符号化メッセージ受信部１３から、符号化メッセージを受信したことを通知された後、符号化メッセージの送信を完了する（Ｓ６）。また、ファクシミリ装置１０のメッセージ出力部１５は、メッセージ復号部１４が復号したメッセージを表示（または音声出力）する（Ｓ７）。
【００４９】
符号化メッセージ送信部２３が符号化メッセージの送信を完了した後、スマートホン２０の回線捕捉部１１は、電話回線を開放する。また、符号化メッセージ受信部１３が符号化メッセージの受信を完了した後、ファクシミリ装置１０の回線捕捉部１１は、電話回線を開放する。以上で、符号化メッセージ処理は終了する。
【００５０】
〔実施形態３〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００５１】
前記実施形態１では、ファクシミリ装置１０は、着信電話番号、つまりスマートホン２０の電話番号の情報を自動的に取得することができなかった場合、発信元のスマートホン２０が予め登録された端末であるかどうかを確認することができず、スマートホン２０から符号化メッセージを受信しなかった。
【００５２】
本実施形態では、ファクシミリ装置１０は、着信電話番号の情報を取得することができなかった場合、スマートホン２０に対し、スマートホン２０の端末情報を要求する。端末情報は、例えば、｛任意のＤＴＭＦ信号（例えば、0,6）＋端末を特定するＤＴＭＦ信号(電話番号など。例えば、0743123456)＋誤り検出符号｝であってよい。本実施形態の構成は、例えば、スマートホン２０が、自端末の電話番号（すなわち、ファクシミリ装置１０にとっての着信電話番号）の情報を発信先に通知しないように設定されている場合や、ファクシミリ装置１０が、着信電話番号を提供するサービスに加入していない場合等に有効である。
【００５３】
（符号化メッセージ処理）
図８は、本実施形態に係る符号化メッセージ処理の流れを示すシーケンスである。本実施形態に係る符号化メッセージ処理のＳ１〜Ｓ２は、前記実施形態１で説明した符号化メッセージ処理のＳ１〜Ｓ２と同じである。そのため、本実施形態ではＳ１〜Ｓ２の説明を省略する。
【００５４】
図８に示すように、本実施形態では、ファクシミリ装置１０の端末情報取得部１２は、着信電話番号の情報を、交換機から自動的に取得することができない（Ｓ２’）。この場合であっても、ファクシミリ装置１０の発信部２５は、スマートホン２０の電話回線を捕捉する（Ｓ３１）。そして、ファクシミリ装置１０の端末情報取得部１２は、スマートホン２０に対し、スマートホン２０の端末情報を受信する準備ができたことを示す合図信号を送信する。
【００５５】
スマートホン２０の端末情報通知部２４は、ファクシミリ装置１０から合図信号を受信した後、ファクシミリ装置１０に対して、スマートホン２０の端末情報を送信する（Ｓ３２）。端末情報通知部２４が送信するスマートホン２０の端末情報は、例えば、ファクシミリ装置１０がスマートホン２０に予め割り当てたＩＤであってもよい。あるいは、端末情報通知部２４は、スマートホン２０の電話番号の情報を、スマートホン２０の端末情報として、ファクシミリ装置１０へ送信してもよい。スマートホン２０が、自端末の電話番号の情報を発信先に通知しないように設定されている場合であっても、スマートホン２０のユーザの希望に反することはないと考えられる。
【００５６】
ファクシミリ装置１０の端末情報取得部１２は、スマートホン２０から端末情報を取得する。ファクシミリ装置１０の符号化メッセージ受信部１３は、端末情報取得部１２が取得したスマートホン２０の端末情報が、登録端末情報記憶部１７に記憶されているかどうかを確認する（Ｓ３３）。スマートホン２０の端末情報が、登録端末情報記憶部１７に記憶されている場合、符号化メッセージ受信部１３は、スマートホン２０に対し、符号化メッセージを受信する準備ができたことを示すＡＣＫ信号を送信する。なお、スマートホン２０の端末情報が、登録端末情報記憶部１７に記憶されていない場合、ファクシミリ装置１０は、着信音を鳴動させるか、あるいは着信に対する応答を自動的に拒否する。
【００５７】
本実施形態に係る符号化メッセージ処理のＳ４〜Ｓ７は、前記実施形態１で説明した符号化メッセージ処理のＳ４〜Ｓ７と同じである。そのため、本実施形態では、Ｓ４〜Ｓ７の説明を省略する。なお、前記実施形態２で説明したように、ファクシミリ装置１０の符号化メッセージ受信部１３が符号化メッセージを受信することに失敗した場合、スマートホン２０の符号化メッセージ送信部２３は、符号化メッセージをファクシミリ装置１０へ再送してもよい。Ｓ６およびＳ７の後、符号化メッセージ処理は終了する。
【００５８】
〔実施形態４〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【００５９】
本実施形態では、符号化メッセージ処理において、スマートホン２０からファクシミリ装置１０へ、符号化メッセージが送信された後で、ファクシミリ装置１０に対し、電話回線の捕捉（オフフック）をするための操作が行われた場合の符号化メッセージ処理の流れを説明する。
【００６０】
（符号化メッセージ処理）
図９は、本実施形態に係る符号化メッセージ処理の流れを示すシーケンスである。本実施形態に係る符号化メッセージ処理のＳ１〜Ｓ７は、前記実施形態１で説明した符号化メッセージ処理のＳ１〜Ｓ７と同じである。そのため、本実施形態では、Ｓ１〜Ｓ７の説明を省略する。なお、前記実施形態２で説明したように、ファクシミリ装置１０の符号化メッセージ受信部１３が符号化メッセージを受信することに失敗した場合、スマートホン２０の符号化メッセージ送信部２３は、符号化メッセージをファクシミリ装置１０へ再送してもよい。
【００６１】
図９に示すように、ファクシミリ装置１０において、メッセージが表示された後、あるいは、ファクシミリ装置１０が符号化メッセージを受信してから一定時間内に、ファクシミリ装置１０がオフフックされる（Ｓ８）。このような状況は、例えば、メッセージを確認したファクシミリ装置１０のユーザが、スマートホン２０のユーザと通話したいと考えて、ハンドセットを上げた場合に発生する。この場合、ファクシミリ装置１０は、スマートホン２０に対し、擬似的な呼出要求を送信する。呼出要求は、例えば、｛任意のＤＴＭＦ信号（例えば、0, 7）＋誤り検出符号（ＤＴＭＦ信号）＋ＤＴＭＦ信号（例えば、#）｝であってよい。
【００６２】
スマートホン２０は、ファクシミリ装置１０から擬似的な呼出要求を受信した場合、外線着信時と同様に、着信音を鳴動させる（Ｓ９）。
【００６３】
スマートホン２０のユーザが、着信に応答するための操作（例えば、通話ボタンの押下）を行った場合、スマートホン２０は、スマートホン２０に入力される音声を、ファクシミリ装置１０へ送信する状態になる。また、スマートホン２０は、ファクシミリ装置１０に対し、通話要求を送信する（Ｓ１０）。通話要求は、例えば、｛任意のＤＴＭＦ信号（例えば、1, 1）＋誤り検出符号（ＤＴＭＦ信号）＋ＤＴＭＦ信号（例えば、#）｝であってよい。ファクシミリ装置１０は、ＡＣＫ信号によって、通話要求を受信したことをスマートホン２０に通知する。そして、ファクシミリ装置１０は、ＤＴＭＦ信号を受信する状態から、スマートホン２０から音声を受信する状態に変化する。その後、ファクシミリ装置１０およびスマートホン２０において、通話が開始される。
【００６４】
ファクシミリ装置１０およびスマートホン２０は、ユーザの所定の操作等によって、符号化メッセージを送受信する状態と、音声を送受信する状態（ユーザが通話可能な状態）との間で、随時に切り換えられてもよい。上記の構成では、ファクシミリ装置１０またはスマートホン２０において通話中に作成されたメモを、符号化メッセージとして送信することができる。例えば、スマートホン２０に入力された音声が録音され、録音された音声が、ボイスメモとして、ファクシミリ装置１０へ送信されてもよい。また、ファクシミリ装置１０およびスマートホン２０において、通話中にやり取りされた符号化メッセージを、ファクシミリ装置１０およびスマートホン２０において管理しておき、通話後に、通話中にやり取りされた符号化メッセージを復号したメッセージの一覧を、時系列で表示してもよい。
【００６５】
通話が終了した後、すなわち、ファクシミリ装置１０のユーザおよびスマートホン２０のユーザが、それぞれ通話を終了するための操作を行った後（Ｓ１１、Ｓ１２）、ファクシミリ装置１０およびスマートホン２０は、それぞれ電話回線を開放する。以上で、符号化メッセージ処理は終了する。
【００６６】
〔実施形態５〕
前記実施形態１〜４では、ファクシミリ装置１０からスマートホン２０へ符号化メッセージが送信される場合の符号化メッセージ処理の流れを説明した。しかしながら、他の実施形態では、前記実施形態１〜４で説明した符号化メッセージ処理において、ファクシミリ装置１０が実行する処理とスマートホン２０が実行する処理とが入れ替えられることにより、ファクシミリ装置１０からスマートホン２０または他の電話機能付き装置へ、符号化メッセージが送信されてもよい。この場合、スマートホン２０は、前記実施形態１で説明したファクシミリ装置１０の構成（図１参照）を備え、ファクシミリ装置１０は、前記実施形態１で説明したスマートホン２０の構成を備える。
【００６７】
本実施形態の構成によれば、ファクシミリ装置１０において収集または生成された情報を、符号化メッセージとして、スマートホン２０へ自動的に送信することができる。例えば、ファクシミリ装置１０に着信した迷惑電話の回数の情報が、定期的に、あるいは、上記回数が一定値を超えた場合に、符号化メッセージとして、スマートホン２０へ送信されてもよい。これにより、スマートホン２０のユーザは、ファクシミリ装置１０のユーザの状況を手軽に確認することができる。
【００６８】
一変形例では、ファクシミリ装置１０は、前記実施形態１で説明したファクシミリ装置１０およびスマートホン２０の両方の構成を備えていてもよい。本変形例では、ファクシミリ装置１０は、他の電話機能付き装置へ、符号化した符号化メッセージを送信することもできるし、また他の電話機能付き装置から、符号化メッセージを受信して、受信した符号化メッセージを復号することもできる。
【００６９】
〔ソフトウェアによる実現例〕
ファクシミリ装置１０の制御ブロック（特に回線捕捉部１１、端末情報取得部１２、符号化メッセージ受信部１３、およびメッセージ復号部１４）は、集積回路（ＩＣチップ）等に形成された論理回路（ハードウェア）によって実現してもよいし、ＣＰＵ（Central Processing Unit）を用いてソフトウェアによって実現してもよい。また、スマートホン２０の制御ブロック（特にメッセージ符号化部２２、符号化メッセージ送信部２３、端末情報通知部２４、および発信部２５）は、集積回路（ＩＣチップ）等に形成された論理回路（ハードウェア）によって実現してもよいし、ＣＰＵ（Central Processing Unit）を用いてソフトウェアによって実現してもよい。
【００７０】
後者の場合、ファクシミリ装置１０およびスマートホン２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７１】
〔まとめ〕
本発明の態様１に係る電話機能付き装置（ファクシミリ装置１０）は、公衆回線網と接続される電話機能付き装置であって、予め登録された他の電話機能付き装置（スマートホン２０）からの着信を受けた場合、上記他の電話機能付き装置の電話回線を捕捉する回線捕捉部（１１）と、上記回線捕捉部が上記他の電話機能付き装置の電話回線を捕捉した後、上記他の電話機能付き装置から、メッセージが符号化されたＤＴＭＦ信号を受信する受信部（符号化メッセージ受信部１３）と、上記受信部が受信した上記ＤＴＭＦ信号からメッセージを復号する復号部（メッセージ復号部１４）と、上記復号部が復号した上記メッセージを出力する出力部（メッセージ出力部１５）と、を備えている。
【００７２】
上記の構成によれば、公衆回線網を通じて、メッセージが符号化されたＤＴＭＦ信号を受信する。そのため、例えば、電子メールを受信する場合のように、メールサーバを利用する必要がない。したがって、ユーザは、プロバイダとの契約等の煩わしさを受けずに、手軽にメッセージを受信することができる。
【００７３】
本発明の態様２に係る電話機能付き装置は、上記態様１において、予め登録された他の電話機能付き装置を識別するための機器情報を記憶した記憶部（登録端末情報記憶部１７）と、他の電話機能付き装置から着信を受けた場合、該他の電話機能付き装置の機器情報を取得する取得部（端末情報取得部１２）と、をさらに備え、上記回線捕捉部は、上記取得部が取得した上記機器情報が上記記憶部に記憶されている場合に、上記他の電話機能付き装置の電話回線を捕捉してもよい。
【００７４】
上記の構成によれば、着信があった場合に、記憶部に記憶された機器情報を用いて、予め登録された他の電話機能付き装置からの着信であるか否かを簡単に判定することができる。
【００７５】
本発明の態様３に係る電話機能付き装置は、上記態様１または２において、当該電話機能付き装置において、上記出力部が上記メッセージを出力した後の所定期間内に、通話を開始するための操作が行われた場合、上記他の電話機能付き装置に対し、着信時と同じ動作をするように要求してもよい。
【００７６】
上記の構成によれば、電話機能付き装置のユーザが通話を開始するための操作を行った場合に、他の電話機能付き装置に着信時と同じ動作を行わせるので、他の電話機能付き装置のユーザは、他の電話機能付き装置への着信に気付いて、電話機能付き装置のユーザと通話することができる。
【００７７】
本発明の態様４に係る電話機能付き装置（スマートホン２０）は、メッセージが符号化されたＤＴＭＦ信号から該メッセージを復号し、出力することが可能な他の電話機能付き装置（ファクシミリ装置１０）と、公衆回線網を通じて接続される電話機能付き装置であって、メッセージを入力される入力部（メッセージ入力部２１）と、上記入力部へ入力された上記メッセージをＤＴＭＦ信号に符号化する符号化部（メッセージ符号化部２２）と、上記符号化部が符号化した上記ＤＴＭＦ信号を、上記他の電話機能付き装置へ送信する送信部（符号化メッセージ送信部２３）と、を備えている。
【００７８】
上記の構成によれば、メッセージをＤＴＭＦ信号に符号化することによって、公衆回線網を通じて、メッセージの内容を、ＤＴＭＦ信号として、他の電話機能付き装置へ送信することができる。
【００７９】
本発明の態様５に係る電話機能付き装置の制御方法は、公衆回線網と接続される電話機能付き装置の制御方法であって、予め登録された他の電話機能付き装置からの着信を受けた場合、上記他の電話機能付き装置の電話回線を捕捉する回線捕捉ステップと、上記他の電話機能付き装置の電話回線を捕捉した後、上記他の電話機能付き装置から、メッセージが符号化されたＤＴＭＦ信号を受信する受信ステップと、受信した上記ＤＴＭＦ信号からメッセージを復号する復号ステップと、復号した上記メッセージを出力する出力ステップと、を含む。上記の構成によれば、上記態様１に係る電話機能付き装置と同様の効果を奏することができる。
【００８０】
本発明の各態様に係る電話機能付き装置は、コンピュータによって実現してもよく、この場合には、コンピュータを上記電話機能付き装置が備える各部（ソフトウェア要素）として動作させることにより上記電話機能付き装置をコンピュータにて実現させる電話機能付き装置の制御プログラム、およびそれを記録したコンピュータ読み取り可能な記録媒体も、本発明の範疇に入る。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８２】
１０  ファクシミリ装置（電話機能付き装置）
１１  回線捕捉部
１２  端末情報取得部（取得部）
１３  符号化メッセージ受信部（受信部）
１４  メッセージ復号部（復号部）
１５  メッセージ出力部（出力部）
１７  登録端末情報記憶部（記憶部）
２０  スマートホン（電話機能付き装置）
２１  メッセージ入力部（入力部）
２２  メッセージ符号化部（符号化部）
２３  符号化メッセージ送信部（送信部）
【図１】
2018037880.tif 000003
【図２】
2018037880.tif 000004
【図３】
2018037880.tif 000005
【図４】
2018037880.tif 000006
【図５】
2018037880.tif 000007
【図６】
2018037880.tif 000008
【図７】
2018037880.tif 000009
【図８】
2018037880.tif 000010
【図９】
2018037880.tif 000011